(57)【要約】【課題】複雑に入り組んだ経路の先を適切に照らすことができる携帯用光照射器を提供する。【解決手段】携帯用光照射器１１は、複雑に入り組んだ経路の先を照らすことができる携帯用光照射器であって、手で握るための握り部１２と、握り部１２の一方の端部１４ａから線状に突出して延び、複雑経路内に差し込まれて屈曲しながら複雑経路の先にまで到達し得るフレキシブル線状体２２と、フレキシブル線状体２２の先端２４に設けられた発光ダイオード２５と、握り部１２の内部に設けられる電源部と、フレキシブル線状体２２の内側に設けられ、電源部と発光ダイオード２５とを接続する電線とを備える。【選択図】図１
0003134477.tif 000002
【実用新案登録請求の範囲】
【請求項１】
複雑に入り組んだ経路の先を照らすことができる携帯用光照射器であって、
手で握るための握り部と、
前記握り部の一方の端部から線状に突出して延び、前記複雑経路内に差し込まれて屈曲しながら複雑経路の先にまで到達し得るフレキシブル線状体と、
前記フレキシブル線状体の先端に設けられた発光ダイオードと、
前記握り部の内部に設けられる電源部と、
前記フレキシブル線状体の内側に設けられ、前記電源部と前記発光ダイオードとを接続する電線とを備える、携帯用光照射器。
【請求項２】
前記フレキシブル線状体は、直線状に戻ろうとする弾性復元力を有する、請求項１に記載の携帯用光照射器。
【請求項３】
前記フレキシブル線状体の側面には、前記電線に接続された複数の発光ダイオードが設けられている、請求項１または２に記載の携帯用光照射器。
【請求項４】
前記フレキシブル線状体の側面に設けられた複数の発光ダイオードは、長手方向に間隔を開けて一列に設けられている、請求項３に記載の携帯用光照射器。
【請求項５】
前記先端および前記側面に設けられた発光ダイオードを点灯させるスイッチは、前記握り部に設けられている、請求項１〜４のいずれかに記載の携帯用光照射器。
【請求項６】
前記フレキシブル線状体は、透明の樹脂チューブで被覆されている、請求項１〜５のいずれかに記載の携帯用光照射器。
【考案の詳細な説明】
【技術分野】
【０００１】
この考案は、携帯用光照射器に関し、特に、複雑に入り組んだ経路の先を照らすことができる携帯用光照射器に関するものである。
【背景技術】
【０００２】
比較的狭い範囲で細かな作業を行なうには、作業性の向上の観点から、ライトで作業場所を照らしながら作業を行なう。このような場合に使用される携帯用の小型のライトとして、特開２００７−４８５１８号公報（特許文献１）に開示される携帯指先ライトや、特開２００２−４５３７５号公報（特許文献２）に開示される光照射器がある。
【０００３】
特許文献１によると、携帯指先ライトを手首に装着し、指先位置まで伸長するフレキシブルチューブを指先まで伸長させ、先端に設けられたＬＥＤ（Ｌｉｇｈｔ  Ｅｍｉｔｔｉｎｇ  Ｄｉｏｄｅ：発光ダイオード）を光らせることにより指先周囲の暗い場所に光を照射している。こうすることにより、暗い場所における手作業の効率化を図っている。
【０００４】
また、特許文献２によると、歯科医療において使用される小型の光照射器は、連結部により握持部に連結されたヘッド部を有する。そして、ヘッド部に設けられた多数のＬＥＤにより口腔内に光を照射して、口腔内を照らしたり、歯牙形成後の修復材として使用する光硬化性レジンを硬化させることとしている。
【特許文献１】特開２００７−４８５１８号公報（図１、図６等）
【特許文献２】特開２００２−４５３７５号公報（段落番号００２５、００３５〜００３６、図１等）
【考案の開示】
【考案が解決しようとする課題】
【０００５】
特許文献１によると、携帯指先ライトは手首に取付けて使用されるため、手が届く範囲内、および手や指を折曲げることができる範囲内でしか携帯指先ライトを使用することができない。また、特許文献２においては、ヘッド部と握持部とを連結する連結部に可撓性を持たせて、光の照射方向を所望の方向に向けることができる。しかし、例えば、自動車のエンジンルーム内における狭い場所や奥深い場所等、複雑に入り組んだ経路の先を適切に照らすことは困難である。
【０００６】
この考案の目的は、複雑に入り組んだ経路の先を適切に照らすことができる携帯用光照射器を提供することである。
【課題を解決するための手段】
【０００７】
この考案に係る携帯用光照射器は、複雑に入り組んだ経路の先を照らすことができる携帯用光照射器である。ここで、携帯用光照射器は、手で握るための握り部と、握り部の一方の端部から線状に突出して延び、複雑経路内に差し込まれて屈曲しながら複雑経路の先にまで到達し得るフレキシブル線状体と、フレキシブル線状体の先端に設けられた発光ダイオードと、握り部の内部に設けられる電源部と、フレキシブル線状体の内側に設けられ、電源部と発光ダイオードとを接続する電線とを備える。
【０００８】
このように構成することにより、複雑に入り組んだ経路の先を光で照らす場合に、先端に発光ダイオードが設けられたフレキシブル線状体を複雑経路に差し込み、握り部を押し進めて、フレキシブル線状体を屈曲させながら、複雑経路の先にフレキシブル線状体の先端を到達させることができる。そして、握り部の内部に設けられた電源部から電線を通じて発光ダイオードに通電して発光ダイオードを点灯させ、複雑経路の先を照らすことができる。したがって、このような携帯用光照射器は、複雑に入り組んだ経路の先を適切に照らすことができる。
【０００９】
好ましくは、フレキシブル線状体は、直線状に戻ろうとする弾性復元力を有する。こうすることにより、直線状に戻ろうとする弾性復元力を利用して、複雑経路の先にフレキシブル線状体の先端を到達させることができる。したがって、容易に、複雑に入り組んだ経路の先にフレキシブル線状体の先端を配置させることができる。
【００１０】
さらに好ましくは、フレキシブル線状体の側面には、電線に接続された複数の発光ダイオードが設けられている。こうすることにより、フレキシブル線状体の先端のみならず、フレキシブル線状体の側面側を照らすことができる。
【００１１】
さらに好ましくは、フレキシブル線状体の側面に設けられた複数の発光ダイオードは、長手方向に間隔を開けて一列に設けられている。こうすることにより、フレキシブル線状体の側面側を、効率的に照らすことができる。
【００１２】
さらに好ましくは、先端および側面に設けられた発光ダイオードを点灯させるスイッチは、握り部に設けられている。こうすることにより、握り部を握りながら、発光ダイオードを点灯させることができる。したがって、取扱い性を向上させることができる。
【００１３】
さらに好ましくは、フレキシブル線状体は、透明の樹脂チューブで被覆されている。こうすることにより、フレキシブル線状体を樹脂チューブで保護することができる。したがって、携帯用光照射器の破損の恐れを低減することができる。この場合、樹脂チューブは透明であるため、フレキシブル線状体の側面に発光ダイオードが設けられていても、光の照射を妨げることはない。
【考案の効果】
【００１４】
この考案によると、複雑に入り組んだ経路の先を光で照らす場合に、先端に発光ダイオードが設けられたフレキシブル線状体を複雑経路に差し込み、握り部を押し進めて、フレキシブル線状体を屈曲させながら、複雑経路の先にフレキシブル線状体の先端を到達させることができる。そして、握り部の内部に設けられた電源部から電線を通じて発光ダイオードに通電して発光ダイオードを点灯させ、複雑経路の先を照らすことができる。したがって、このような携帯用光照射器は、複雑に入り組んだ経路の先を適切に照らすことができる。
【考案を実施するための最良の形態】
【００１５】
以下、この考案の実施の形態を、図面を参照して説明する。図１は、この考案の一実施形態に係る携帯用光照射器を示す図である。図２は、図１に示す携帯用光照射器を、図１中の矢印ＩＩの方向から見た図である。図３は、図１に示す携帯用光照射器を図１中の矢印ＩＩＩの方向から見た拡大図である。図４は、図１に示す携帯用光照射器を、図１中の矢印ＩＶの方向から見た図である。図５は、図１に示す携帯用光照射器を、図１中のＶ―Ｖ断面で切断した場合の拡大断面図である。図６は、図１に示す携帯用光照射器を屈曲させた状態を示す図である。
【００１６】
図１〜図６を参照して、携帯用光照射器１１は、複雑に入り組んだ経路の先を照らすことができる携帯用光照射器である。携帯用光照射器１１は、手で握るための握り部１２を備える。握り部１２は、短棒状であって、剛性を有する部材から構成されている。握り部１２の表面には、滑り止めとなる複数の凸状の凸部１３が設けられている。この複数の凸部１３により、握り部１２の握り易さを向上している。また、握り部１２の内部には、電源部（図示せず）が設けられており、リチウム電池が内蔵されている。
【００１７】
握り部１２の一方の端部１４ａには、端部１４ａから線状に突出して延びるフレキシブル線状体２２が設けられている。フレキシブル線状体２２は、短棒状の握り部１２よりも長く、かつ、細く構成されている。フレキシブル線状体２２は、図６に示すように屈曲可能であり、長手方向にフレキシブルに屈曲することができる。フレキシブル線状体２２は、上記した複雑経路内に差し込まれた場合に、複雑経路の先までフレキシブル線状体２２の先端２４を到達させることができる。なお、フレキシブル線状体２２は、黒色である。
【００１８】
また、フレキシブル線状体２２は、直線状に戻ろうとする弾性復元力を有する。すなわち、フレキシブル線状体２２を屈曲させたまま放置していれば、徐々に図１に示すような直線状に戻る。
【００１９】
フレキシブル線状体２２は、透明の樹脂チューブ２３で被覆されている。樹脂チューブ２３は、可撓性を有する。したがって、フレキシブル線状体２２の屈曲状態に合わせて、その形状を変更することができる。
【００２０】
握り部１２の他方の端部１４ｂには、半輪状のフック１５が設けられている。フック１５を利用して、携帯用光照射器１１を他部材に引掛け、吊り下げることができる。
【００２１】
握り部１２の他方の端部１４ｂの端面には、別途準備される充電用アダプター１８の端子１９を差し込むソケット１７が設けられている。このソケット１７に充電用アダプター１８の端子１９を差し込み、電源部を充電することができる。
【００２２】
フレキシブル線状体２２の先端２４には、発光ダイオード２５が設けられている。発光ダイオード２５は、先端２４から突出するように設けられている。また、フレキシブル線状体２２の側面には、一対の取付ベース２６ａ、２６ｂが設けられている。取付ベース２６ａ、２６ｂは長板状である。一対の取付ベース２６ａ、２６ｂは、フレキシブル線状体２２を挟むように設けられている。各取付ベース２６ａ、２６ｂには、それぞれ１０個の発光ダイオード２７ａ、２７ｂが設けられている。１０個の発光ダイオード２７ａ、２７ｂは、長手方向に間隔を開けて一列に配置するよう設けられている。
【００２３】
発光ダイオード２５、２７ａ、２７ｂは、フレキシブル線状体２２の内側に設けられる電線（図示せず）によって、握り部１２の内部に設けられた電源部に接続されている。発光ダイオード２５、２７ａ、２７ｂは、電線を介して電源部から電気を供給される。これにより、発光ダイオード２５、２７ａ、２７ｂは点灯し、フレキシブル線状体２２の先端２４および側面の周囲を光で照らすことができる。なお、取付ベース２６ａ、２６ｂ間に介在するフレキシブル線状体２２は黒色であるため、側面に設けられた発光ダイオード２７ａ、２７ｂをそれぞれ点灯させても、一方側面側の光が他方側面側に漏れることはない。
【００２４】
握り部１２には、発光ダイオード２５、２７ａ、２７ｂを点灯させるため、すなわち、電源部から発光ダイオード２５、２７ａ、２７ｂに電気を供給するためのスイッチ１６が設けられている。スイッチ１６は、押しボタン式であり、握り部１２の一方の端部１４ａ側に設けられている。具体的には、スイッチ１６は、握り部１２を手で握った際に、親指で押すことができる位置に設けられている。なお、スイッチ１６には、防水処理が施されている。
【００２５】
スイッチ１６を押すことにより、発光ダイオード２５、２７ａ、２７ｂを切り替えて点灯させることができる。具体的には、スイッチ１６を一回押すことにより、先端２４の発光ダイオード２５のみを点灯させることができる。さらにスイッチ１６を押すと、すなわち、スイッチ１６を合計２回押すと、先端２４の発光ダイオード２５と、１０個の発光ダイオード２７ａ、２７ｂのうちの先端２４に近い側の５個の発光ダイオード２７ａ、２７ｂを点灯させることができる。さらにスイッチ１６を押すと、すなわち、スイッチ１６を合計３回押すと、先端２４の発光ダイオード２５と、一方側面側の発光ダイオード２７ａ全てを点灯させることができる。そして、さらにスイッチ１６を押すと、全ての発光ダイオード２５、２７ａ、２７ｂを消灯させることができる。
【００２６】
ここで、上記構成の携帯用光照射器１１を使用して、自動車のエンジンルーム内等、複雑で入り組んだ経路の先を照らす方法について説明する。まず、ユーザは、手で握り部１２を握り、フレキシブル線状体２２の先端２４を複雑に入り組んだ経路の入口に配置させる。次に、握り部１２を押し進める。そうすると、フレキシブル線状体２２は複雑経路内に差し込まれ、屈曲しながら複雑経路の形状に沿って押し進められる。そして、フレキシブル線状体２２の先端２４が複雑経路の先に到達する。この場合、直線状に戻ろうとするフレキシブル線状体２２の弾性復元力も利用して、容易にフレキシブル線状体２２の先端２４を複雑経路の先に到達させることができる。そして、握り部１２に設けられたスイッチ１６を押し、握り部１２の内部に設けられた電源部から電線を通じて先端２４の発光ダイオード２５に通電することにより、先端２４の周囲を照らすことができる。その結果、このような携帯用光照射器１１は、自動車のエンジンルーム内等、複雑に入り組んだ経路の先を適切に照らすことができる。
【００２７】
このような構成によると、例えば、小さい穴からフレキシブル線状体２２を差し込んで、握り部１２を押し進め、フレキシブル線状体２２を屈曲させながら、複雑経路の先にフレキシブル線状体２２の先端２４を到達させることができる。さらに、このような携帯用光照射器１１は、目線と異なる角度から照らすことができるため、ユーザ側が眩しくない。したがって、作業性を向上することができる。この場合、リチウム電池が電源部に内蔵されており、コードレスで、かつ、軽量であるため、作業性は良好である。
【００２８】
さらに、フレキシブル線状体２２の側面には、電線に接続された複数の発光ダイオード２７ａ、２７ｂが設けられているため、フレキシブル線状体２２の先端２４の周囲のみならず、フレキシブル線状体２２の側面側を照らすことができる。この場合、スイッチ１６を押す回数を変更させることにより、上記した種々の点灯パターンで、フレキシブル線状体２２の側面側を照らすことができる。また、フレキシブル線状体２２の側面に設けられた複数の発光ダイオード２７ａ、２７ｂは、長手方向に間隔を開けて一列に設けられているため、フレキシブル線状体２２の側面側を、効率的に照らすことができる。このような構成により、作業性をさらに向上させることができる。
【００２９】
また、発光ダイオード２５、２７ａ、２７ｂを点灯させるスイッチ１６は、握り部１２に設けられているため、握り部１２を握りながら、発光ダイオード２５、２７ａ、２７ｂを点灯させることができる。したがって、取扱い性を向上させることができる。
【００３０】
さらに、フレキシブル線状体２２は、透明の樹脂チューブ２３で被覆されているため、フレキシブル線状体２２を保護することができる。すなわち、例えば、フレキシブル線状体２２を複雑経路内に差し込んでフレキシブル線状体２２の先端２４を押し進めた際に、フレキシブル線状体２２と複雑経路を構成する壁とが擦れあっても、フレキシブル線状体２２の損傷を低減することができる。したがって、携帯用光照射器１１の破損の恐れを低減することができる。この場合、樹脂チューブ２３は透明であるため、フレキシブル線状体２２の側面に設けられた発光ダイオード２７ａ、２７ｂからの光の照射を妨げることはない。
【００３１】
なお、上記したフック１５を利用して携帯用光照射器１１を吊り下げ、スイッチ１６を押して発光ダイオード２５、２７ａ、２７ｂを点灯させることにより、吊り下げランプとして使用することもできる。
【００３２】
また、電線２０を介して接続された充電用アダプター１８の端子１９をソケット１７に挿入し、充電用アダプター１８のプラグ２１をコンセント（図示せず）に差し込んで電源部を充電することができる。
【００３３】
なお、上記の実施の形態においては、二つの側面側に複数の発光ダイオード２７ａ、２７ｂを配置することにしたが、これに限らず、一つの側面側にのみ、複数の発光ダイオードを配置する構成としてもよく、二つ以上の側面に複数の発光ダイオードを配置する構成としてもよい。
【００３４】
また、上記の実施の形態においては、直線状に戻ろうとする弾性復元力を利用してフレキシブル線状体２２を複雑経路の先に到達させることにしたが、フレキシブル線状体２２の屈曲によって複雑経路の先に到達させるように構成してもよい。
【００３５】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００３６】
この考案は、自動車のエンジンルーム等において、複雑に入り組んだ経路の先を適切に照らしたい場合に、有効に利用される。
【図面の簡単な説明】
【００３７】
【図１】この考案の一実施形態に係る携帯用光照射器を示す図である。
【図２】図１に示す携帯用光照射器を、図１中の矢印ＩＩの方向から見た図である。
【図３】図１に示す携帯用光照射器を図１中の矢印ＩＩＩの方向から見た拡大図である。
【図４】図１に示す携帯用光照射器を、図１中の矢印ＩＶの方向から見た図である。
【図５】図１に示す携帯用光照射器を、図１中のＶ―Ｖ断面で切断した場合の拡大断面図である。
【図６】図１に示す携帯用光照射器を屈曲させた状態を示す図である。
【符号の説明】
【００３８】
１１  携帯用光照射器、１２  握り部、１３  凸部、１４ａ，１４ｂ  端部、１５  フック、１６  スイッチ、１７  ソケット、１８  充電用アダプター、１９  端子、２０  電線、２１  プラグ、２２  フレキシブル線状体、２３  樹脂チューブ、２４  先端、２５，２７ａ，２７ｂ  発光ダイオード、２６ａ，２６ｂ  取付ベース。
【図１】
0003134477.tif 000003
【図２】
0003134477.tif 000004
【図３】
0003134477.tif 000005
【図４】
0003134477.tif 000006
【図５】
0003134477.tif 000007
【図６】
0003134477.tif 000008